(57)【要約】      （修正有）【課題】着脱自在で、組み立て及び交換がし易く、且つ携帯に便利で、ユーザが独自でメンテナンスがし易く、バーコードの走査作業も行い易く、使用の利便性が向上するワイヤレスバーコード走査装置を提供する。【解決手段】バーコードスキャナ１と無線送信機２とを含み、バーコードスキャナ１に第１接続部１４が設けられ、バーコードスキャナ１内に設けられた光電気変換回路モジュール１３に第１接続部１４が電気的に接続され、無線送信機２は、第１接続部１４に分離可能に電気的に接続された第２接続部２１と、無線送信可能な送信部２２とを有する。さらに、第２接続部２１に送信部２２が電気的に接続され、無線送信機２の第２接続部２１とバーコードスキャナ１の第１接続部１４とが互いに接続されると対応し得る関係となる。【選択図】図２
0003177787.tif 000002
【実用新案登録請求の範囲】
【請求項１】
内部に光電気変換回路モジュールが設けられ、前記光電気変換回路モジュールに電気的に接続された第１接続部を有するバーコードスキャナと、
前記第１接続部に分離可能に電気的に接続された第２接続部と、無線送信可能な送信部とを有し、前記第２接続部に前記送信部が電気的に接続され、且つ、前記第２接続部と前記第１接続部とが接続されて対応し得る関係になる無線送信機とを含むワイヤレスバーコード走査装置。
【請求項２】
前記バーコードスキャナに差し込み溝が設けられ、前記差し込み溝内に前記第１接続部が設けられ、前記無線送信機の第２接続部が前記差し込み溝内の前記第１接続部に分離可能に電気的に差し込まれていることを特徴とする請求項１に記載のワイヤレスバーコード走査装置。
【請求項３】
前記バーコードスキャナの一端にグリップを有し、前記グリップに前記差し込み溝が設けられたことを特徴とする請求項２に記載のワイヤレスバーコード走査装置。
【請求項４】
前記バーコードスキャナの一端にグリップを有し、前記グリップの表面に前記第１接続部が設けられたことを特徴とする請求項１に記載のワイヤレスバーコード走査装置。
【請求項５】
前記第１接続部と前記第２接続部は、互いに突き合せられるユニバーサル・シリアル・バス、ミニUSBまたはマイクロUSBのうちの一つであることを特徴とする請求項１に記載のワイヤレスバーコード走査装置。
【考案の詳細な説明】
【技術分野】
【０００１】
本考案は、バーコード走査装置に係り、特に、実配線を介さずコンピュータに走査後の信号を無線で伝送可能となるワイヤレスバーコード走査装置に関るものである。
【背景技術】
【０００２】
一般に、スーパーマーケットや、大型ショッピングセンター、図書館などの場所または物流・宅配業者は、複数の商品を管理し易くするため、商品ごとの表面または商品ごとのパッケージ表面にそれぞれ対応する一組のバーコード(barcode)及び一組の文字（例えば、数字コード）を印刷して、商品認識として使用している。これらの場所や店頭、または物流・宅配の荷物仕分け所には、少なくとも一台のバーコードスキャナが設けられている。例えば、図５に示すように、従来のバーコードスキャナ４は、ケース４１と、ケース４１内に設けられた光学走査モジュール４２（発光素子及びセンサ素子を含み）と、ケース４１内に設けられ光学走査モジュール４２に電気的に接続された光電気変換回路モジュール４３とを含む。ケース４１の一端には導線４４が設けられ、導線４４の一端が内部の光電気変換回路モジュール４３（例えば、プリント基板）に電気的に接続され、導線４４の他端がコンピュータ５に電気的に接続されている。また、ケース４１の他端の表面に光学走査モジュール４２に対応して設けられた透光部４５が設けられている。さらに、導線４４と透光部４５との間のケース４１の表面に光電気変換回路モジュール４３に電気的に接続されたスイッチモジュール４６が設けられている。
【０００３】
そのため、光学走査モジュール４２からの発光が、透光部４５を介して一組のバーコード（図示せず）に投射されると、形成された反射光が光学走査モジュール４２に再受光され、光電気変換回路モジュール４３が、反射光の強弱に基づいて、対応する信号に変換して且つ複合化を経て、さらに導線４４を介してコンピュータ５に伝送され、対応する数字または文字として表す。作業員は当該商品の詳細なデータ（例えば、生産国、製造メーカ、商品名、製造日、類別、入出荷日、価格）を容易に読取ることで、その制御と管理し易い。
【考案の開示】
【考案が解決しようとする課題】
【０００４】
しかしながら、従来のバーコードスキャナ４は、導線４４の長さに制限がある。バーコードスキャナ４はコンピュータ５の近傍に設置しなければならないため、走査に際しては、バーコードスキャナ４まで商品を移動させ、バーコードスキャナ４の透光部４５に商品のバーコードを近接させ、走査の確認後に商品を元の場所に戻している。このように、走査する度に作業員の負担になり易く、且つ、コンピュータ５が大きく且つ重いので、携帯し難い。また、バーコードスキャナ４の導線４４の長さが長過ぎると、導線を収納する新たな問題（例えば、導線が引っ掛かる場合）が生じ、さらにバーコードスキャナ４が故障すると、コンピュータ５と一緒に修理に持っていかなければならないので、使用する上で不便である。
【０００５】
本考案はこれらのに鑑み、専念に研究や設計、組み立てをし、快速着脱、組み立て及び交換し易く、且つ携帯便利の効果を有し、ユーザが独自にメンテナンスを処理し易く、バーコード走査作業も行い易く、コードの整線や収納が必要なくなることで、使用上の利便性が向上されるワイヤレスバーコード走査装置を提供するものである。
【課題を解決するための手段】
【０００６】
本考案は、快速着脱、組み立て及び交換し易く、且つ携帯便利の効果を有し、ユーザが独自でメンテナンスを処理し易く、バーコード走査作業も行い易く、コードの整線や収納が必要なくなることで、使用上の利便性が向上されるワイヤレスバーコード走査装置を提供することを主な目的とする。
【０００７】
前記目的を達成するため、本考案のワイヤレスバーコード走査装置は、バーコードスキャナと無線送信機とを含み、前記バーコードスキャナに第１接続部が設けられ、前記バーコードスキャナ内に設けられた光電気変換回路モジュールに前記第１接続部が電気的に接続され、前記無線送信機は、前記第１接続部に分離可能に電気的に接続された第２接続部と、無線送信可能な送信部とを有し、前記第２接続部に前記送信部が電気的に接続され、前記第２接続部と前記第１接続部とを接続して対応し得る関係になることによって、快速着脱、組み立て及び交換し易く、ユーザが独自でメンテナンスを処理し易く、さらに携帯便利の効果を有し、バーコード走査作業を行い易く、コードの整線や収納が必要なくなることで、使用上の利便性が向上される。
【０００８】
本考案の特徴、特点及び技術内容をさらに深く理解するため、添付図面を参照して以下に本考案を詳細に説明するが、これらの説明は本考案を限定するものではない。
【図面の簡単な説明】
【０００９】
【図１】図１は本考案に係るワイヤレスバーコード走査装置を示す斜視図である。
【図２】図２は本考案に係るワイヤレスバーコード走査装置を示す全断面図である。
【図３】図３は図２の無線送信機とバーコードスキャナとの分離時を示す図である。
【図４】図４は本考案のワイヤレスバーコード走査装置とコンピュータとの間における無線信号伝送を示す模式図である。
【図５】図５は本考案の従来のバーコードスキャナとコンピュータとの間における有線信号伝送を示す模式図である。
【考案を実施するための形態】
【００１０】
図１〜図４に示すように、本考案のワイヤレスバーコード走査装置は、バーコードスキャナ１と無線送信機２とを含む。バーコードスキャナ１は、ケース１１と、ケース11に設けられた光学走査モジュール１２（発光素子及びセンサ素子を含み）と、光学走査モジュール１２に電気的に接続された光電気変換回路モジュール１３（例えば、プリント基板）とを含む。
ケース１１の表面には光学走査モジュール１２に対応して設けられた透光部１５及び光電気変換回路モジュール１３に電気的に接続されたスイッチモジュール１６が設けられている。バーコードスキャナ１の構成については、従来技術であるため、説明を省略する。
【００１１】
本考案のワイヤレスバーコード走査装置は、バーコードスキャナ１に第１接続部１４が設けられ、バーコードスキャナ１内に設けられた光電気変換回路モジュール１３に第１接続部１４が電気的に接続される。無線送信機２は、第１接続部１４に分離可能に電気的に接続された第２接続部２１と、無線送信可能な送信部２２とを有し、第２接続部２１に送信部２２が電気的に接続され、無線送信機２の第２接続部２１とバーコードスキャナ１の第１接続部１４とが互いに接続されると、対応し得る関係になることを特徴とする。
【００１２】
実施する場合は、図４に示すように、本考案のワイヤレスバーコード走査装置がコンピュータ３と組み合わせて使用される。コンピュータ３に無線信号伝送モジュール３１が設けられ、無線信号伝送モジュール３１が送信部２２からの無線信号を無線で受信する。
本考案は、無線信号伝送モジュール３１の無線伝送エリアの範囲において、当該エリア内の複数の商品に対しバーコード走査を行い、従来の導線の長さによる規制はなく、走査作業をスムーズに行える。
【００１３】
ケース１１の一端面に第１接続部１４が設けられることにより、第１接続部１４の位置を目視確認し易く、無線送信機２を速やかに差し込むことができるようになる。ケース１１の他端面に透光部１５が設けられ、さらに第１接続部１４と透光部１５との間のケース１１の表面にスイッチモジュール１６が設けられる。また、使用する際に必要となる電源（例えば、走査や伝送）を提供するため、本考案は、バーコードスキャナ１と無線送信機２のうち何れか一方の内部に給電手段（図示せず、例えば、電池）が設けられる。スイッチモジュール１６を操作することにより電源供給をオン・オフする。
【００１４】
図２及び図３に示すように、バーコードスキャナ１に差し込み溝１７が設けられる。差し込み溝１７内に第１接続部１４が設けられる。無線送信機２の一端が差し込み溝１７内に差し込まれ、第２接続部２１が差し込み溝１７内の第１接続部１４に分離可能に電気的に差し込まれる。
バーコードスキャナ１は、差し込み溝１７を設置することにより、差し込み溝１７内に無線送信機２を安定に差し込んで位置決めすることができ、無線送信機２の脱落を防止することができる。
【００１５】
また、本考案のバーコードスキャナ１は、固定式バーコードスキャナを用いる外、携帯式バーコードスキャナを用いても良い。
すなわち、ケース１１の一端にグリップ１８を有することで、手持ちし易いとともにスイッチモジュール１６を手動で制御し易くなる。
また、グリップ１８の表面に第１接続部１４とスイッチモジュール１６が設けられた外、実際の状況に応じて、ケース１１の他の部位に設けられても良い。
よって、使用上の利便性が向上される。また、グリップ１８内にも十分な空間が確保される。このように、グリップ１８に差し込み溝１７が設けられるとき、グリップ１８内に無線送信機２を完全に差し込むことにより、無線送信機２を保護する効果が達成できる。
【００１６】
本明細書に記載された第１接続部１４と第２接続部２１は、互いに突き合せられたユニバーサル・シリアル・バス(Universal Serial Bus (略称USB))、ミニUSB (略称mini USB)またはマイクロUSB (略称Micro USB)である。
【００１７】
本考案のワイヤレスバーコード走査装置は、バーコードスキャナ１と無線送信機２との組合設計及び着脱可能な構造に設計されることによって、快速着脱、組み立て及び交換し易くなる。
このように、バーコードスキャナ１または無線送信機２が損壊または故障したときには、交換して更新した後に再び使用可能になる。さらにメンテナンスが便利で且つユーザが独自にメンテナンスを処理し易い。またバーコード走査作業を行うときに、容易に携帯して、コンピュータ３と無線信号伝送モジュール３１との無線伝送エリアの範囲において、当該エリア内の複数の商品に対しバーコード走査を行える。またコードの整理や収納が必要なくなることで、使用上の利便性が大幅に向上する。
【００１８】
以上のように、以上の記載は単に本考案の好ましい実施例の説明に過ぎず、本考案の実用新案登録請求の範囲を限定するものではなく、いずれの当業者が適宜行う変更や修飾等も本考案に含まれるべきことは言うまでもない。
【符号の説明】
【００１９】
１・・・・・・バーコードスキャナ
２・・・・・・無線送信機
３・・・・・・コンピュータ
１１・・・・・ケース
１２・・・・・光学走査モジュール
１３・・・・・光電気変換回路モジュール
１４・・・・・第１接続部
１５・・・・・透光部
１６・・・・・スイッチモジュール
１７・・・・・差し込み溝
１８・・・・・グリップ
２１・・・・・第２接続部
２２・・・・・送信部
３１・・・・・無線信号伝送モジュール
４・・・・・・従来のバーコードスキャナ
５・・・・・・コンピュータ
４１・・・・・ケース
４２・・・・・光学走査モジュール
４３・・・・・光電気変換回路モジュール
４４・・・・・導線
４５・・・・・透光部
４６・・・・・スイッチモジュール
【図１】
0003177787.tif 000003
【図２】
0003177787.tif 000004
【図３】
0003177787.tif 000005
【図４】
0003177787.tif 000006
【図５】
0003177787.tif 000007